(57)【要約】      （修正有）【課題】ユーザがより簡易に、過去画像と撮影画像とを見比べることができ、ユーザの利便性を向上させる証明写真撮影装置を提供する。【解決手段】過去に被撮影者Ｐが撮影された過去画像と過去画像が撮影された過去画像撮影日とを含む過去画像データが保存されている携帯端末２との間で通信可能な証明写真撮影装置１であって、携帯端末から過去画像データを受信する通信部２０と、被撮影者を撮影し、撮影画像と撮影画像が撮影された撮影画像撮影日とを含む撮影画像データを生成する撮影装置１２と、撮影画像データに含まれるデータにより特定される第１の画像と過去画像データに含まれるデータにより特定される第２の画像を予め決められた規則に従って配置した合成画像を生成する画像処理部と、を備える。【選択図】図１
2015179891.tif 000002
【特許請求の範囲】
【請求項１】
過去に被撮影者が撮影された過去画像を含む過去画像データが保存されている携帯端末との間で通信可能な証明写真撮影装置であって、
前記携帯端末から前記過去画像データを受信する通信部と、
前記被撮影者を撮影し、撮影画像を含む撮影画像データを生成する撮影装置と、
前記撮影画像データに含まれるデータにより特定される第１の画像と前記過去画像データに含まれるデータにより特定される第２の画像を予め決められた規則に従って配置した合成画像を生成する画像処理部と、
を備える証明写真撮影装置。
【請求項２】
前記過去画像データは、前記過去画像が撮影された過去画像撮影日を更に含み、
前記撮影画像データは、撮影画像が撮影された撮影画像撮影日を更に含み、
前記画像処理部は、前記撮影画像撮影日及び前記過去画像撮影日を用いて、前記第１の画像と前記第２の画像を予め決められた規則に従って配置した合成画像を生成する
請求項１に記載の証明写真撮影装置。
【請求項３】
前記画像処理部は、前記第１の画像と前記第２の画像とが、撮影日順に並んだ画像を前記合成画像として生成する
請求項２に記載の証明写真撮影装置。
【請求項４】
前記通信部は、前記携帯端末から前記過去画像データを複数受信し、
前記画像処理部は、前記第１の画像と前記複数の過去画像データに含まれる複数のデータにより特定される複数の第２の画像とが、撮影日順に並んだ画像を前記合成画像として生成する
請求項２または３に記載の証明写真撮影装置。
【請求項５】
前記画像処理部は、前記過去画像と前記過去画像撮影日とを関連づけて配置し、前記撮影画像と前記撮影画像撮影日とを関連づけて配置した画像を前記合成画像として生成する
請求項１から４のいずれか一項に記載の証明写真撮影装置。
【請求項６】
前記被撮影者による撮影画像の用途の選択を受け付ける操作部を更に備え、
前記画像処理部は、前記操作部が受け付けた用途に応じて、前記過去画像撮影日から使用期限を決定し、前記撮影画像撮影日が前記使用期限を過ぎていたら警告表示を前記合成画像に含ませる
請求項１から５のいずれか一項に記載の証明写真撮影装置。
【請求項７】
前記被撮影者による撮影画像の用途の選択を受け付ける操作部を更に備え、
前記画像処理部は、前記操作部が受け付けた用途に応じて、前記過去画像の大きさを調整する
請求項１から５のいずれか一項に記載の証明写真撮影装置。
【請求項８】
前記画像処理部は、前記撮影画像における背景色部分と人物部分とを判別して前記撮影画像から人物画像を第１の人物画像として切り抜き、前記第１の人物画像と背景画像とを合成した画像を前記第１の画像として生成し、
前記画像処理部は、前記過去画像における背景色部分と人物部分とを判別して前記過去画像から人物画像を第２の人物画像として切り抜き、前記第２の人物画像と背景画像とを合成した画像を前記第２の画像として生成し、
前記画像処理部は、前記第１の画像と前記第２の画像を予め決められた規則に従って配置した画像を前記合成画像として生成する
請求項１から７のいずれか一項に記載の証明写真撮影装置。
【請求項９】
前記合成画像の背景画像の選択をユーザから受け付ける操作部を更に備え、
前記画像処理部は、前記撮影画像における背景色部分と被写体部分とを判別して前記撮影画像の背景色部分を透過させた画像を前記第１の画像として生成し、
前記画像処理部は、前記過去画像における背景色部分と被写体部分とを判別して前記過去画像の背景色部分を透過させた画像を前記第２の画像として生成し、
前記画像処理部は、前記第１の画像と、前記第２の画像と、前記操作部が受け付けた選択により特定される背景画像とを合成した合成画像を生成する
請求項１から７のいずれか一項に記載の証明写真撮影装置。
【請求項１０】
前記画像処理部は、前記合成画像を生成する際に、前記撮影画像または前記過去画像の一方から、服装の画像領域を抽出し、該抽出した服装の画像領域を、前記撮影画像または前記過去画像のうち前記服装の画像領域が抽出されていない他方の画像と合成する
請求項１から９のいずれか一項に記載の証明写真撮影装置。
【請求項１１】
前記画像処理部は、前記合成画像を生成する際に、前記撮影画像または前記過去画像の一方から、髪型の画像領域を抽出し、該抽出した髪型の画像領域を、前記撮影画像または前記過去画像のうち前記髪型の画像領域が抽出されていない他方の画像と合成する
請求項１から１０のいずれか一項に記載の証明写真撮影装置。
【請求項１２】
前記通信部は、前記合成画像を含む送信データを前記携帯端末に送信する
請求項１から１１のいずれか一項に記載の証明写真撮影装置。
【請求項１３】
前記画像処理部は、前記撮影画像をリサイズしてプリント用画像を生成し、
前記プリント用画像を印画物にプリントして出力するプリンタを更に備える
請求項１から１２のいずれか一項に記載の証明写真撮影装置。
【請求項１４】
過去に被撮影者が撮影された過去画像を含む過去画像データが保存されている携帯端末との間で通信可能な証明写真撮影装置が実行する証明写真撮影方法であって、
通信部が、前記携帯端末から前記過去画像データを受信するステップと、
撮影装置が、前記被撮影者を撮影し、撮影画像を含む撮影画像データを生成するステップと、
画像処理部が、前記撮影画像データに含まれるデータにより特定される第１の画像と前記過去画像データに含まれるデータにより特定される第２の画像を予め決められた規則に従って配置した合成画像を生成するステップと、
を有する証明写真撮影方法。
【請求項１５】
過去に被撮影者が撮影された過去画像を含む過去画像データが保存されている携帯端末と、該携帯端末との間で通信可能な証明写真撮影装置とを備える証明写真撮影システムであって、
前記証明写真撮影装置は、
前記携帯端末から前記過去画像データを受信する通信部と、
前記被撮影者を撮影し、撮影画像を含む撮影画像データを生成する撮影装置と、
前記撮影画像データに含まれるデータにより特定される第１の画像と前記過去画像データに含まれるデータにより特定される第２の画像を予め決められた規則に従って配置した合成画像を生成する画像処理部と、
を備える証明写真撮影システム。
【発明の詳細な説明】
【技術分野】
【０００１】
本発明は、証明写真撮影装置、証明写真撮影方法及び証明写真撮影システムに関する。
【背景技術】
【０００２】
従来、免許証、パスポート、履歴書等に貼付するための証明写真等を撮影するためのボックス型の証明写真撮影装置が知られている。従来の証明写真撮影装置は、人物を撮影し、用途に応じた様々なサイズの写真をプリントして出力することができる。
【０００３】
例えば、特許文献１には、センサから顧客の検出情報が入力されると、前回の顧客の撮影が終了してから次回の顧客の入室までの経過時間を算出し、この経過時間に基づいて、撮影からプリント出力までの一連の処理において撮り直しの制限回数などを設定する写真撮影装置が開示されている。
【０００４】
近年、デジタルカメラの発展および普及により、撮影により得られた被写体画像の電子情報が容易に利用可能となっている。ボックス型の証明写真撮影装置においても、このような被写体画像の電子情報（以下、画像情報）を利用して焼増しプリントするというサービスが提案されている。
【先行技術文献】
【特許文献】
【０００５】
【特許文献１】特開２００５−３０１０３７号公報
【発明の概要】
【発明が解決しようとする課題】
【０００６】
このサービスによれば、過去に被撮影者が証明写真撮影装置により撮影された画像を印画物に印刷することができる。しかしながら、この印画物に印刷された過去の撮影画像と、現在、被撮影者が証明写真撮影装置で撮影されてディスプレイに表示された画像と、を見比べて、証明写真提出用によりふさわしい画像を選択する場合、視線を大きく移動させなければならず、過去の撮影画像と現在の撮影画像とを見比べることが難しいという問題があった。
【０００７】
本発明は、このような課題を解決し得る証明写真撮影装置、証明写真撮影方法及び証明写真撮影システムを提供することを目的とする。
【課題を解決するための手段】
【０００８】
本発明の一態様による証明写真撮影装置は、過去に被撮影者が撮影された過去画像を含む過去画像データが保存されている携帯端末との間で通信可能な証明写真撮影装置であって、前記携帯端末から前記過去画像データを受信する通信部と、前記被撮影者を撮影し、撮影画像を含む撮影画像データを生成する撮影装置と、前記撮影画像データに含まれるデータにより特定される第１の画像と前記過去画像データに含まれるデータにより特定される第２の画像を予め決められた規則に従って配置した合成画像を生成する画像処理部と、
を備える。
【０００９】
本発明の一態様による証明写真撮影装置において、前記過去画像データは、過前記過去画像が撮影された過去画像撮影日を更に含み、前記撮影画像データは、前記撮影画像が撮影された撮影画像撮影日を更に含み、前記画像処理部は、前記撮影画像撮影日及び前記過去画像撮影日を用いて、前記第１の画像と前記第２の画像を予め決められた規則に従って配置した合成画像を生成する。
【００１０】
本発明の一態様による証明写真撮影装置において、前記画像処理部は、前記第１の画像と前記第２の画像とが、撮影日順に並んだ画像を前記合成画像として生成する。
【００１１】
本発明の一態様による証明写真撮影装置において、前記通信部は、前記携帯端末から前記過去画像データを複数受信し、前記画像処理部は、前記第１の画像と前記複数の過去画像データに含まれる複数のデータにより特定される複数の第２の画像とが、撮影日順に並んだ画像を前記合成画像として生成する。
【００１２】
本発明の一態様による証明写真撮影装置において、前記画像処理部は、前記過去画像と前記過去画像撮影日とを関連づけて配置し、前記撮影画像と前記撮影画像撮影日とを関連づけて配置した画像を前記合成画像として生成する。
【００１３】
本発明の一態様による証明写真撮影装置において、前記被撮影者による撮影画像の用途の選択を受け付ける操作部と、前記画像処理部は、前記操作部が受け付けた用途に応じて、前記過去画像撮影日から使用期限を決定し、前記撮影画像撮影日が前記使用期限を過ぎていたら警告表示を前記合成画像に含ませる。
【００１４】
本発明の一態様による証明写真撮影装置は、前記被撮影者による撮影画像の用途の選択を受け付ける操作部を更に備え、前記画像処理部は、前記操作部が受け付けた用途に応じて、前記過去画像の大きさを調整する。
【００１５】
本発明の一態様による証明写真撮影装置において、前記画像処理部は、前記撮影画像における背景色部分と人物部分とを判別して前記撮影画像から人物画像を第１の人物画像として切り抜き、前記第１の人物画像と背景画像とを合成した画像を前記第１の画像として生成し、前記画像処理部は、前記過去画像における背景色部分と人物部分とを判別して前記過去画像から人物画像を第２の人物画像として切り抜き、前記第２の人物画像と背景画像とを合成した画像を前記第２の画像として生成し、前記画像処理部は、前記第１の画像と前記第２の画像を予め決められた規則に従って配置した画像を前記合成画像として生成する。
【００１６】
本発明の一態様による証明写真撮影装置において、前記合成画像の背景画像の選択をユーザから受け付ける操作部を更に備え、前記画像処理部は、前記撮影画像における背景色部分と被写体部分とを判別して前記撮影画像の背景色部分を透過させた画像を前記第１の画像として生成し、前記画像処理部は、前記過去画像における背景色部分と被写体部分とを判別して前記過去画像の背景色部分を透過させた画像を前記第２の画像として生成し、前記画像処理部は、前記第１の画像と、前記第２の画像と、前記操作部が受け付けた選択により特定される背景画像とを合成した合成画像を生成する。
【００１７】
本発明の一態様による証明写真撮影装置において、前記画像処理部は、前記合成画像を生成する際に、前記撮影画像または前記過去画像の一方から、服装の画像領域を抽出し、該抽出した服装の画像領域を、前記撮影画像または前記過去画像のうち前記服装の画像領域が抽出されていない他方の画像と合成する。
【００１８】
本発明の一態様による証明写真撮影装置において、前記画像処理部は、前記合成画像を生成する際に、前記撮影画像または前記過去画像の一方から、髪型の画像領域を抽出し、該抽出した髪型の画像領域を、前記撮影画像または前記過去画像のうち前記髪型の画像領域が抽出されていない他方の画像と合成する。
【００１９】
本発明の一態様による証明写真撮影装置において、前記通信部は、前記合成画像を含む送信データを前記携帯端末に送信する。
【００２０】
本発明の一態様による証明写真撮影装置において、前記画像処理部は、前記撮影画像をリサイズしてプリント用画像を生成し、前記プリント用画像を印画物にプリントして出力するプリンタを更に備える。
【００２１】
本発明の一態様による証明写真撮影方法は、過去に被撮影者が撮影された過去画像を含む過去画像データが保存されている携帯端末との間で通信可能な証明写真撮影装置が実行する証明写真撮影方法であって、通信部が、前記携帯端末から前記過去画像データを受信するステップと、撮影装置が、前記被撮影者を撮影し、撮影画像を含む撮影画像データを生成するステップと、画像処理部が、前記撮影画像データに含まれるデータにより特定される第１の画像と前記過去画像データに含まれるデータにより特定される第２の画像を予め決められた規則に従って配置した合成画像を生成するステップと、を有する。
【００２２】
本発明の一態様による証明写真撮影システムは、過去に被撮影者が撮影された過去画像を含む過去画像データが保存されている携帯端末と、該携帯端末との間で通信可能な証明写真撮影装置とを備える証明写真撮影システムであって、前記証明写真撮影装置は、前記携帯端末から前記過去画像データを受信する通信部と、前記被撮影者を撮影し、撮影画像を含む撮影画像データを生成する撮影装置と、前記撮影画像データに含まれるデータにより特定される第１の画像と前記過去画像データに含まれるデータにより特定される第２の画像を予め決められた規則に従って配置した合成画像を生成する画像処理部と、を備える。
【発明の効果】
【００２３】
本発明によれば、携帯端末に保存されている過去画像の少なくとも一部と、当日に撮影した撮影画像の少なくとも一部とが合成された合成画像が得られるため、ユーザがより簡易に、過去に撮影された画像と現在撮影された画像とを見比べることができ、ユーザの利便性を向上させることができる。
【図面の簡単な説明】
【００２４】
【図１】図１は、本実施形態に係る証明写真撮影システムの概略構成図である。
【図２】図２は、ユーザが背景を合成したい画像を選択する画像選択画面の一例を示す図である。
【図３】図３は、ユーザが背景を選択する背景選択画面の一例を示す図である。
【図４】図４は、ユーザが用途を選択する用途選択画面の一例を示す図である。
【図５】図５は、ユーザが引渡方法を選択する引渡方法選択画面の一例を示す図である。
【図６】図６は、本実施形態に係る演算制御装置１０のハードウェア構成を示す概略構成図である。
【図７】図７は、ＣＰＵ１００が画像処理プログラム１０４Ａを実行することで実現される機能ブロック図である。
【図８】図８は、確認用画面に表示される合成画像の第１の例である。
【図９】図９は、確認用画面に表示される合成画像の第２の例である。
【図１０】図１０は、確認用画面に表示される合成画像の第３の例である。
【図１１】図１１は、本実施形態に係る証明写真のプリント及び合成画像データ転送方法を説明するフローチャートである。
【図１２】図１２は、服装の画像領域または髪型の画像領域を合成した例である。
【発明を実施するための形態】
【００２５】
以下、本発明の実施の形態を図面に基づいて説明する。
【００２６】
まず、はじめに本実施形態に係る証明写真撮影システム１の構成について説明する。図１は、本実施形態に係る証明写真撮影システム１の概略構成図である。証明写真撮影システムは、証明写真撮影装置１と、証明写真撮影装置１と通信可能な携帯端末２とを備えている。携帯端末２は、無線ＬＡＮ（Local Area Network）によるデータ通信機能を有しており、例えば、スマートフォン、またはタブレット端末である。
【００２７】
図１に示すように、証明写真撮影装置１は、被撮影者（以下、ユーザともいう）Ｐの撮影を行う撮影空間を有するボックス型の撮影装置であり、被撮影者Ｐを撮影して撮影画像データを生成する撮影装置１２と、この撮影画像データに対して画像処理を施す演算制御装置１０と、印画物（写真）をプリントするプリンタ１６と、撮影装置１２が被撮影者Ｐを撮影する際に被撮影者Ｐに光を照射するストロボ１８と、携帯端末２２と通信する通信部２０と、を備える。
【００２８】
この証明写真撮影装置１は、人物画像と背景画像を合成した合成画像を印画物にプリントして出力するものである。そのため、証明写真撮影装置１における被撮影者Ｐの背中側の壁紙は、後述するクロマキー合成に適した色、例えば青色や黄緑色になっている。
【００２９】
撮影装置１２は、被撮影者を撮影し、撮影画像と該撮影画像が撮影された撮影画像撮影日とを含む撮影画像データを生成する。撮影装置１２は、例えばデジタルカメラであり、レンズ、シャッタ、ＣＭＯＳセンサ、Ａ／Ｄ変換器等を有する。撮影装置１２が被撮影者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１２は、撮影画像データを演算制御装置１０へ出力する。
【００３０】
通信部２０は、携帯端末２から過去画像データを無線で受信し、受信した過去画像データを演算制御装置１０へ出力する。また、通信部２０は、合成画像を含む送信データを携帯端末２に無線で送信する。なお、通信部２０は、有線で携帯端末２と通信してもよい。
【００３１】
また、証明写真撮影装置１は、被撮影者Ｐから各種指示を受け付けると共に、プレビュー画像や各種情報を表示するタッチパネル（操作部及び表示部）１４を備える。
【００３２】
タッチパネル１４は、操作ボタンを表示し、ユーザにより操作ボタンが押されると、その操作ボタンに対応した操作指示を受け付ける。
【００３３】
プリンタ１６は、演算制御装置１０から受け取ったプリント用画像データに対して、色変換やシャープネス処理を行う。プリント用画像データについては後述する。そして、プリンタ１６は、被撮影者Ｐの撮影画像を用紙に印画して出力する。プリンタ１６のプリント方式は特に限定されず、インクジェット方式、昇華型熱転写方式、溶融型熱転写方式等を用いることができる。
【００３４】
証明写真撮影装置１には、被撮影者Ｐが印画物または撮影画像データの代金として支払う貨幣を受け入れたり、釣銭を払い出したりする課金部（図示せず）がさらに設けられている。また、証明写真撮影装置１に、電子マネーでの支払いを受け付ける課金部が設けられていてもよい。
【００３５】
演算制御装置１０は、撮影装置１２、タッチパネル１４、プリンタ１６、ストロボ１８、通信部２０、及び課金部に接続されており、各部の制御やデータの受け渡しを行う。
【００３６】
また、携帯端末２は、タッチパネル２２、証明写真撮影装置１との間でデータ転送を行うために必要なアプリケーションソフトが保存されている記憶部（例えば、フラッシュメモリ）、このアプリケーションソフトを読み出して実行する演算処理部、及び無線で証明写真撮影装置１と通信する無線通信部等を備える。
【００３７】
（証明写真撮影システム１の動作概要）
続いて、本実施形態に係る証明写真撮影システム１の動作概要について説明する。本実施形態に係る証明写真撮影装置１は、ユーザを撮影して生成した撮影画像をプリント出力したり、撮影画像とこの撮影画像が撮影された撮影日とを含む撮影画像データを携帯端末２へ無線で送信したりする。携帯端末２は、証明写真撮影装置１から撮影画像データを受信して、過去画像データとして保存する。
【００３８】
ここで、過去画像データは、過去に被撮影者が撮影された過去画像と該過去画像が撮影された過去画像撮影日とを含む。証明写真撮影装置１は、撮影画像データに含まれるデータにより特定される第１の画像と過去画像データに含まれるデータにより特定される第２の画像を予め決められた規則に従って配置した合成画像を生成し、合成画像を含む送信データを携帯端末２へ送信する。
【００３９】
携帯端末２の無線通信部は、タッチパネル２２が受け付けたユーザの操作に応じて、記憶部に格納されている過去画像データを証明写真撮影装置１に送信する。また、携帯端末２の無線通信部は、証明写真撮影装置１から送信された送信データを受信し、受信した送信データを記憶部に格納する。
【００４０】
（タッチパネル１４がユーザから受け付ける操作の詳細）
続いて、タッチパネル１４がユーザから受け付ける操作の詳細について説明する。例えば、タッチパネル１４は、撮影装置１２により撮影された撮影画像及び携帯端末２から取得した過去画像を表示し、この画像選択画面において、背景を合成したい画像の選択をユーザから受け付ける。
【００４１】
ここで、図２は、ユーザが背景を合成したい画像を選択する画像選択画面の一例を示す図である。例えば、図２に示すように、タッチパネル１４の画像選択画面中に、過去画像が表示された操作ボタンＧ２１、この過去画像より撮影日が新しい過去画像が表示された操作ボタンＧ２２、及び撮影画像が表示された操作ボタンＧ２３が表示される。ユーザは、背景を合成したい画像が表示された操作ボタンを押すことで、背景を合成したい画像を選択することができる。また、ユーザは、画像選択後に遷移キーＫ２１を押すことで、後述する図３に示すような背景選択画面に進むことができる。
【００４２】
また、タッチパネル１４は、少なくとも１つの背景画像候補を表示するとともに、ユーザから背景画像の選択指示を受け付けることができる。
【００４３】
ここで、図３は、ユーザが背景を選択する背景選択画面の一例を示す図である。例えば、図３に示すように、タッチパネル１４の背景選択画面中に、図２でユーザが選択した画像Ｇ３１、背景画像候補が表示された操作ボタンＢＧ１、背景画像候補が表示された操作ボタンＢＧ２、背景画像候補が表示された操作ボタンＢＧ３、背景画像候補が表示された操作ボタンＢＧ４が表示される。ユーザは、合成する背景画像候補が表示された操作ボタンを押すことで、背景画像候補を選択することができる。また、ユーザは、遷移キーＫ３１を押すことで図２に示すような画像選択画面に戻ることができ、遷移キーＫ３２を押すことで後述する図４に示すような用途選択画面に進むことができる。
【００４４】
また、タッチパネル１４は、ユーザから、証明写真の用途の指示を受け付ける。証明写真の用途は、プリンタ１６が印画物にプリントする画像サイズ（写真サイズ）に対応しており、例えば、運転免許証、パスポート、履歴書等である。
【００４５】
ここで、図４は、ユーザが用途を選択する用途選択画面の一例を示す図である。例えば、図４に示すように、タッチパネル１４の用途選択画面中に、履歴書用を指示する操作ボタンＧ４１、パスポート用を指示する操作ボタンＧ４２が表示される。ユーザは、選択する用途に対応した操作ボタンを押すことで、証明写真の用途を選択することができる。また、ユーザは、遷移キーＫ４１を押すことで図３に示すような背景選択画面に戻ることができ、遷移キーＫ４２を押すことで後述する図５に示すような引渡方法選択画面に進むことができる。
【００４６】
また、タッチパネル１４は、ユーザから、証明写真の引渡方法の指示を受け付ける。ここで、証明写真の引渡方法は、印画物に印刷して渡す方法と、撮影画像とこの撮影画像の撮影日とを含む撮影画像データを携帯端末２へ送信して渡す方法との２種類がある。
【００４７】
ここで、図５は、ユーザが引渡方法を選択する引渡方法選択画面の一例を示す図である。例えば、図５に示すように、タッチパネル１４の引渡方法選択画面中に、印画物に印刷して渡す方法を指示する操作ボタンＧ５１、撮影画像データを携帯端末２へ送信して渡す方法を指示する操作ボタンＧ５２が表示される。ユーザは、選択する引渡方法に対応した操作ボタンを押すことで、証明写真の引渡方法を選択することができる。また、ユーザは、遷移キーＫ５１を押すことで図４に示すような用途選択画面に戻ることができ、遷移キーＫ５２を押すことで確認用画像表示画面に進むことができる。ここで、確認用画像表示画面において、過去画像と撮影画像とが合成された合成画像が表示され、ユーザは合成画像を確認することができる。
【００４８】
また、タッチパネル１４は、合成画像の背景画像の選択をユーザから受け付ける。
【００４９】
（演算制御装置１０のハードウェア構成について）
続いて、演算制御装置１０のハードウェア構成について説明する。図６は、本実施形態に係る演算制御装置１０のハードウェア構成を示す概略構成図である。演算制御装置１０は、ＣＰＵ（中央演算処理部）１００、メインメモリ１０２、ディスク装置１０４、及び入出力部１０６を有する。演算制御装置１０の各部はバス１０８を介して接続されている。
【００５０】
ディスク装置１０４は、ＣＰＵ１００により実行される画像処理プログラム１０４Ａ及び人物画像に合成される背景画像のデータベース１０４Ｂを格納する。データベース１０４Ｂには、色や模様の異なる複数の背景画像データが記録されている。
【００５１】
ディスク装置１０４は、例えばハードディスクドライブである。なお、画像処理プログラム１０４Ａは、ディスク装置１０４でなく、ＲＯＭや磁気テープ（共に図示せず）に格納されていてもよい。
【００５２】
ＣＰＵ１００は、ディスク装置１０４内の画像処理プログラム１０４Ａをメインメモリ１０２にロードして、画像処理プログラム１０４Ａを実行する。
【００５３】
画像処理プログラム１０４Ａの実行に伴い、メインメモリ１０２上には、撮影画像データ、過去画像データ、背景画像データ、及び後述する合成画像データを格納する領域が確保される。
【００５４】
入出力部１０６は、撮影装置１２、タッチパネル１４、プリンタ１６、ストロボ１８、通信部２０、及び課金部と、ＣＰＵ１００との間で、データの受け渡しを行う。
【００５５】
（画像処理プログラム１０４Ａを実行することで実現される機能ブロックについて）
続いて、画像処理プログラム１０４Ａを実行することで実現される機能ブロックについて説明する。図７は、ＣＰＵ１００が画像処理プログラム１０４Ａを実行することで実現される機能ブロック図である。画像処理プログラム１０４Ａの実行により、画像処理部１２０、選択部１２２、送信データ生成部１２４、送信制御部１２６、及び受信制御部１２８が実現される。
【００５６】
選択部１２２は、複数の背景画像データをディスク装置１０４のデータベース１０４Ｂから読み出し、タッチパネル１４へ出力する。また、選択部１２２は、タッチパネル１４を介してユーザから背景画像の選択指示を受け付けると、ユーザにより選択された背景画像のデータを画像処理部１２０に渡す。
【００５７】
受信制御部１２８は、通信部２０に、携帯端末２から送信された過去画像データを受信させ、通信部２０が受信した過去画像データを画像処理部１２０に渡す。
【００５８】
画像処理部１２０は、撮影画像撮影日及び過去画像撮影日を用いて、撮影画像データに含まれるデータにより特定される第１の画像と過去画像データに含まれるデータにより特定される第２の画像を予め決められた規則に従って配置した合成画像を生成する。そして、画像処理部１２０は、生成した合成画像を含む合成画像データを送信データ生成部１２４に渡す。
【００５９】
送信データ生成部１２４は、合成画像を含む送信データを生成し、生成した送信データを送信制御部１２６に渡す。
【００６０】
送信制御部１２６は、送信データ生成部１２４により生成された送信データを、通信部２０を介して携帯端末２へ送信する。
【００６１】
（画像処理部１２０の処理の詳細）
以下、画像処理部１２０の処理の詳細について説明する。画像処理部１２０は、クロマキー合成による処理を用いて、撮影装置１２により生成された撮影画像データにより特定される撮影画像内の人物画像と、選択部１２２から受け取った背景画像とを合成して、第１の画像を作成する。
【００６２】
同様にして、画像処理部１２０は、クロマキー合成による処理を用いて、通信部２０が受信した過去画像データにより特定される過去画像内の人物画像と、選択部１２２から受け取った背景画像とを合成して、第２の画像を作成する。
【００６３】
具体的には、画像処理部１２０は、撮影画像内の人物と背景色との色差を判別し、撮影画像または過去画像から人物画像を切り抜く。ここで判別される色差とは、色相差、彩度差、又は色相差及び彩度差の組み合わせである。また、画像処理部１２０は、人物画像の切り抜きの際に、タッチパネル１４を介して入力された人物位置情報を利用してもよい。そして、画像処理部１２０は、選択部１２２から受け取った背景画像と、切り抜いた人物画像とを重ね合わせることで第１の画像または第２の画像を生成する。
【００６４】
画像処理部１２０は、撮影画像撮影日及び過去画像撮影日を用いて、撮影画像データに含まれるデータにより特定される第１の画像と過去画像データに含まれるデータにより特定される第２の画像を予め決められた規則に従って配置した合成画像を生成する。例えば、画像処理部１２０は、第１の画像と第２の画像とが、撮影日順に並んだ画像を合成画像として生成する。本実施形態では、その一例として、通信部２０は、携帯端末２から過去画像データを複数受信し、画像処理部１２０は、第１の画像と複数の過去画像データに含まれる複数のデータにより特定される複数の第２の画像とが、撮影日順に並んだ画像を合成画像として生成する。
【００６５】
ここで、図８は、確認用画面に表示される合成画像の第１の例である。画像処理部１２０が撮影日順に並んだ画像を合成画像として生成することにより、図８に示すように、タッチパネル１４の確認用画面において、第２の画像Ｇ８１、第２の画像Ｇ８１よりも撮影日が新しい第２の画像Ｇ８２、第１の画像Ｇ８３が、日付順に並んだ合成画像が表示される。
【００６６】
また、画像処理部１２０は、合成画像を生成する際、例えば、過去画像と過去画像撮影日とを関連づけて配置し、撮影画像と撮影画像撮影日とを関連づけて配置した画像を合成画像として生成する。
【００６７】
これにより、図８に示すように、この合成画像において、第２の画像Ｇ８１の付近にその撮影日「２０１２／１１／３」が配置され、第２の画像Ｇ８２の付近にその撮影日「２０１３／８／２０」が配置され、第１の画像Ｇ８３の付近にその撮影日「２０１３／１２／５」が配置される。
【００６８】
また、画像処理部１２０は、合成画像を生成する際、例えば、撮影画像における背景色部分と人物部分とを判別して撮影画像から人物画像を第１の人物画像として切り抜き、第１の人物画像と背景画像とを合成した画像を上記第１の合成画像として生成する。そして、画像処理部１２０は、過去画像における背景色部分と人物部分とを判別して過去画像から人物画像を第２の人物画像として切り抜き、第２の人物画像と背景画像とを合成した画像を上記第２の画像として生成する。そして、画像処理部１２０は、第１の画像と第２の画像を予め決められた規則に従って配置した画像を合成画像として生成する。
【００６９】
これにより、図８に示すように、この合成画像において、図２に示す第１の過去画像Ｇ２１から人物画像を切り抜き、この人物画像と背景画像とを合成した第２の画像Ｇ８１が表示される。また、図２に示す第２の過去画像Ｇ２２から人物画像を切り抜き、この人物画像と背景画像とを合成した第２の画像Ｇ８２が表示される。また、図２に示す撮影画像Ｇ２３から人物画像を切り抜き、この人物画像と背景画像とを合成した第１の画像Ｇ８３が表示される。
【００７０】
また、画像処理部１２０は、タッチパネル１４が受け付けた用途に応じて、過去画像の大きさを調整する。
【００７１】
また、画像処理部１２０は、タッチパネル１４が受け付けた用途に応じて、過去画像撮影日から使用期限を決定し、撮影画像撮影日がこの使用期限を過ぎていたら警告表示を合成画像に含ませる。ここで、例えば、画像処理部１２０は、用途が履歴書用の場合、過去画像撮影日から３ヶ月後を使用期限に決定する。
【００７２】
ここで、図９は、確認用画面に表示される合成画像の第２の例である。例えば、図９に示すように、タッチパネル１４の確認用画面において、過去画像Ｇ９１、過去画像Ｇ９１よりも撮影日が新しい過去画像Ｇ９２、撮影画像Ｇ９３が、日付順に並んだ合成画像が表示される。また、画像処理部１２０が警告表示を合成画像に含ませることで、この合成画像において、過去画像Ｇ９１の付近に使用期限を過ぎていることを示す警告表示Ｇ９４が表示される。
【００７３】
また、画像処理部１２０は、撮影画像における背景色部分と被写体部分とを判別して撮影画像の背景色部分を透過させた画像を上記第１の画像として生成してもよい。画像処理部１２０は、過去画像における背景色部分と被写体部分とを判別して過去画像の背景色部分を透過させた画像を上記第２の画像として生成してもよい。そして、画像処理部１２０は、この第１の画像と、この第２の画像と、タッチパネル１４が受け付けた選択により特定される背景画像とを合成した合成画像を生成してもよい。
【００７４】
ここで、図１０は、確認用画面に表示される合成画像の第３の例である。例えば、図１０に示すように、タッチパネル１４の確認用画面において、第２の画像Ｇ１０１、第２の画像Ｇ１０１よりも撮影日が新しい第２の画像Ｇ１０２、及び第１の画像Ｇ１０３が、背景画像ＢＧ１０１と合成された合成画像が表示される。第２の画像Ｇ１０１は、図２に示す過去画像Ｇ２１の背景色部分を透過させた画像である。第２の画像Ｇ１０２は、図２に示す過去画像Ｇ２２の背景色部分を透過させた画像である。第１の画像Ｇ１０３は、図２に示す撮影画像Ｇ２３の背景色部分を透過させた画像である。
【００７５】
画像処理部１２０は、撮影装置１２が生成した撮影画像または自ら生成した合成画像をタッチパネル１４でのプレビュー表示に対応したサイズに縮小（リサイズ）して、プレビュー用画像データを生成する。そして、画像処理部１２０は、生成したプレビュー用画像データを画像処理部１２０へ出力する。
【００７６】
また、画像処理部１２０は、生成した合成画像を、プリンタ１６でプリントする写真サイズに対応したサイズに縮小（リサイズ）し、プリント用画像データを生成する。例えば、縦、横の画素を均等に間引くことで画像を縮小することができる。プリンタ１６でプリントされる写真サイズは、タッチパネル１４を介して指示された用途に対応している。プリント用画像データは、演算制御装置１０の入出力部１０６を介してプリンタ１６へ出力される。
【００７７】
以上のように、本実施形態に係る証明写真撮影装置１は、一枚の印画物上に、撮影画像だけでなく過去に撮影した過去画像も並べて印画する。これにより、ユーザは、この印画物を多用途に利用することができる。
【００７８】
なお、本実施形態に係る証明写真撮影装置１は、過去画像が使用期限を過ぎている場合、警告表示を合成画像に含ませたが、これに限ったものではない。証明写真撮影装置１は、一枚の印画物上に、撮影画像と、使用期限を過ぎていない過去画像とを印画し、使用期限を過ぎた過去画像を印画しないようにしてもよい。これにより、ユーザは、使用期限を意識することなく、印画物を多用途に利用することができる。
【００７９】
次に、以上のような構成及び機能を有する証明写真撮影装置１が、合成画像をプリント出力する方法、及び合成画像を含む送信データをユーザの携帯端末２へ送信する方法を、図１１に示すフローチャートを用いて説明する。
【００８０】
図１１は、本実施形態に係る証明写真のプリント及び合成画像データ転送方法を説明するフローチャートである。
【００８１】
（ステップＳ１０１）まず、ＣＰＵ１００は、通信部２０を介して、携帯端末２が送信した過去画像データを通信部２０から取得する。
【００８２】
（ステップＳ１０２）次に、ＣＰＵ１００は、携帯端末２が送信した過去画像データを全部受信したか否か判定する。携帯端末２が送信した過去画像データを全部受信していない場合（ＮＯ）、ＣＰＵ１００は、ステップＳ１０１の処理を再度実行する。
【００８３】
（ステップＳ１０３）ステップＳ１０２で、携帯端末２が送信した過去画像データを全部受信したと判定された場合、ＣＰＵ１００は、撮影装置１２に被撮影者を撮影させる。この撮影は、一回または複数回行われる。
【００８４】
（ステップＳ１０４）次に、ＣＰＵ１００は、ユーザによる承認ボタンの操作が行われたか否か判定する。この承認ボタンは、ユーザが撮影画像を承認した場合に操作されるボタンである。ユーザによる承認ボタンの操作が行われなかった場合（ＮＯ）、ＣＰＵ１００は、ステップＳ１０３の処理に戻って、撮影装置１２に被撮影者を再度撮影させる。
【００８５】
（ステップＳ１０５）ステップＳ１０４で、ユーザによる承認ボタンの操作が行われたと判定された場合、ＣＰＵ１００は、タッチパネル１４に図２に示すような画像選択画面を表示させる。そして、ＣＰＵ１００は、この画像選択画面において、ユーザが行ったタッチパネル１４の操作に従って、背景を合成する画像を取得する。
【００８６】
（ステップＳ１０６）次に、ＣＰＵ１００は、タッチパネル１４に図３に示すような背景選択画面を表示させる。そして、ＣＰＵ１００は、この背景選択画面において、ユーザが行ったタッチパネル１４の操作に従って、背景画像を含む背景画像データをディスク装置１０４から読み出す。そして、例えば、ＣＰＵ１００は、撮影画像から切り抜いた人物画像と、取得した背景画像データにより特定される背景画像とを合成した画像を第１の画像として生成する。また、例えば、ＣＰＵ１００は、過去画像から切り抜いた人物画像と、取得した背景画像データにより特定される背景画像とを合成した画像を第２の画像として生成する。
【００８７】
（ステップＳ１０７）次に、ＣＰＵ１００は、タッチパネル１４に図４に示すような用途選択画面を表示させる。そして、ＣＰＵ１００は、この用途選択画面において、ユーザが行ったタッチパネル１４の操作に従って、証明写真の用途を取得する。
【００８８】
（ステップＳ１０８）次に、画像処理部１２０は、ステップＳ１０７で取得した用途に応じた画像サイズに、第１の画像及び第２の画像をトリミング及び／または拡縮する。ここで、拡縮するとは、拡大または縮小することである。
【００８９】
（ステップＳ１０９）次に、画像処理部１２０は、ステップＳ１０８で画像サイズが調整された後の第１の画像と、ステップＳ１０８で画像サイズが調整された後の第２の画像とを合成した合成画像を生成する。
【００９０】
（ステップＳ１１０）次に、ＣＰＵ１００は、タッチパネル１４に図５に示すような引渡方法選択画面を表示させる。そして、ＣＰＵ１００は、この引渡方法選択画面において、ユーザが行ったタッチパネル１４の操作に従って、引渡方法を取得する。
【００９１】
（ステップＳ１１１）次に、ＣＰＵ１００は、タッチパネル１４に図８に示すような確認用画面を表示させる。
【００９２】
（ステップＳ１１２）次に、ＣＰＵ１００は、ユーザにより、タッチパネル１４に表示された確認ボタンが操作されたか否か判定する。ユーザにより、タッチパネル１４に表示された確認ボタンが操作されなかった場合（ＮＯ）、ＣＰＵ１００は、ステップＳ１０５の処理に戻る。
【００９３】
（ステップＳ１１３）ステップＳ１１２で、ユーザにより、タッチパネル１４に表示された確認ボタンが操作されたと判定された場合、ＣＰＵ１００は、ユーザに入金を依頼する入金依頼画面をタッチパネル１４に表示する。
【００９４】
（ステップＳ１１４）次に、ＣＰＵ１００は、課金部へ、所定の金額が入金されたか否か判定する。ＣＰＵ１００は、所定の金額が入金されるまで、待機する。
【００９５】
（ステップＳ１１５）ステップＳ１１４で、所定の金額が入金されたと判定された場合、ＣＰＵ１００は、ステップＳ１１０で受け付けた引渡方法に応じて、合成画像の印刷または送信データの送信のいずれかを実行する。
【００９６】
このように図１１の証明写真のプリント方法によれば、本実施形態に係る証明写真撮影装置１は、一枚の印画物上に、撮影画像だけでなく過去に撮影した過去画像も並べて印画する。これにより、ユーザは、この印画物を多用途に利用することができる。以上、本実施形態に係る証明写真撮影装置１は、過去に被撮影者が撮影された過去画像と該過去画像が撮影された過去画像撮影日とを含む過去画像データが保存されている携帯端末２との間で通信可能な証明写真撮影装置１であって、携帯端末２から過去画像データを受信する通信部２０を備える。更に、証明写真撮影装置１は、被撮影者を撮影し、撮影画像と該撮影画像が撮影された撮影画像撮影日とを含む撮影画像データを生成する撮影装置１２を備える。更に、証明写真撮影装置１は、撮影画像撮影日及び過去画像撮影日を用いて、撮影画像データに含まれるデータにより特定される第１の画像と過去画像データに含まれるデータにより特定される第２の画像を予め決められた規則に従って配置した合成画像を生成する画像処理部１２０を備える。
【００９７】
これにより、携帯端末に保存されている過去画像の少なくとも一部と、当日に撮影した撮影画像の少なくとも一部とが合成された合成画像が得られるため、ユーザがより簡易に、過去に撮影された画像と現在撮影された画像とを見比べることができ、ユーザの利便性を向上させることができる。
【００９８】
なお、画像処理部１２０は、例えば合成画像を生成する際に、撮影画像または過去画像の一方から、服装の画像領域を抽出し、該抽出した服装の画像領域を、撮影画像または過去画像のうち服装の画像領域が抽出されていない他方の画像と合成してもよい。
【００９９】
また、画像処理部１２０は、例えば合成画像を生成する際に、撮影画像または過去画像の一方から、髪型の画像領域を抽出し、該抽出した髪型の画像領域を、撮影画像または過去画像のうち髪型の画像領域が抽出されていない他方の画像と合成してもよい。
【０１００】
図１２は、服装の画像領域または髪型の画像領域を合成した例である。図１２には、過去画像Ｇ１２１と撮影画像Ｇ１２２とが合成された合成画像Ｈ１が示されている。撮影画像Ｇ１２２から、服装の画像領域を抽出し、該抽出した服装の画像領域を過去画像Ｇ１２１と合成した画像が、服装合成画像Ｇ１２３である。撮影画像Ｇ１２４は、撮影画像Ｇ１２２と同じである。合成画像Ｈ２は、服装合成画像Ｇ１２３と撮影画像Ｇ１２４が合成された画像である。
【０１０１】
過去画像Ｇ１２１から、髪型の画像領域を抽出し、該抽出した髪型の画像領域を撮影画像Ｇ１２２と合成した画像が、髪型合成画像Ｇ１２６である。過去画像Ｇ１２５は、過去画像Ｇ１２１と同じである。合成画像Ｈ３は、過去画像Ｇ１２５と髪型合成画像Ｇ１２６が合成された画像である。
【０１０２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０３】
１  証明写真撮影装置
２  携帯端末
１０  演算制御装置
１２  撮影装置
１４  タッチパネル
１６  プリンタ
１８  ストロボ
２０  通信部
１００  ＣＰＵ
１０２  メインメモリ
１０４  ディスク装置
１０６  入出力部
１２０  画像処理部
１２２  選択部
１２４  送信データ生成部
１２６  送信制御部
１２８  受信制御部
【図１】
2015179891.tif 000003
【図２】
2015179891.tif 000004
【図４】
2015179891.tif 000005
【図５】
2015179891.tif 000006
【図６】
2015179891.tif 000007
【図７】
2015179891.tif 000008
【図９】
2015179891.tif 000009
【図１０】
2015179891.tif 000010
【図１１】
2015179891.tif 000011
【図１２】
2015179891.tif 000012
【図３】
2015179891.tif 000013
【図８】
2015179891.tif 000014